(57)【要約】【課題】断面コ字状のアンテナ素子を筐体の背面部に対して斜め上方へ伸長できる構成とし、アンテナ伸長時アンテナ素子を人体から遠ざけ、アンテナ特性の改善をはかる。【解決手段】携帯端末筐体２と、携帯端末筐体２の長手方向の外形に沿って下向きにコの字状に形成された板状のアンテナ素子２０２が保持、収納され、アンテナ素子２０２を、携帯端末筐体２の背面に対して斜め上方にスライド自在に伸張するアンテナ収納部２０と、により携帯端末用アンテナ装置を構成する。【選択図】図１
2008011270.tif 000002
【特許請求の範囲】
【請求項１】
携帯端末筐体の外形に沿って下向きに断面コの字状に形成された板状のアンテナ素子と、
前記アンテナ素子が保持、収納され、前記アンテナ素子を、前記携帯端末筐体の背面に対して斜め上方にスライド自在に伸張するアンテナ収納部と、
を備えたことを特徴とする携帯端末用アンテナ装置。
【請求項２】
前記アンテナ収納部は、
少なくとも表示モニタが実装される第１の筐体と、少なくともキースイッチが実装される第２の筐体とを開閉自在に結合するヒンジ機構の下部に配置されている
ことを特徴とする請求項１記載の携帯端末用アンテナ装置。
【請求項３】
前記アンテナ収納部は、
前記アンテナ素子を２以上保持、収納し、前記アンテナ素子を個別に前記携帯端末筐体の背面に対して斜め上方にスライド自在に伸張する構造を有する
ことを特徴とする請求項１または２記載の携帯端末用アンテナ装置。
【請求項４】
前記アンテナ収納部は、
前記アンテナ素子を２以上保持、収納し、前記アンテナ素子が連結して、前記携帯端末筐体の背面に対し斜め上方にスライド自在に伸張する構造を有する
ことを特徴とする請求項１または２記載の携帯端末用アンテナ装置。
【請求項５】
前記アンテナ収納部に保持、収納される２以上のアンテナ素子のアンテナ長に差をつけた構造を有する
ことを特徴とする請求項３または４に記載の携帯端末用アンテナ装置。
【請求項６】
携帯端末筐体と、
前記携帯端末筐体の外形に沿って下向きに断面コの字状に形成された板状のアンテナ素子と、
前記アンテナ素子が保持、収納され、前記アンテナ素子を、前記携帯端末筐体の背面に対して斜め上方にスライド自在に伸張するアンテナ収納部と、
を備えたことを特徴とする携帯端末装置。
【請求項７】
前記携帯端末筐体は、
少なくとも表示モニタが実装される第１の筐体と、
少なくともキースイッチが実装される第２の筐体と、
前記第１の筐体と前記第２の筐体とを開閉自在に結合するヒンジ機構と、を備え、
前記アンテナ収納部は、前記ヒンジ機構の下部に配置されている
ことを特徴とする請求項６記載の携帯端末装置。
【請求項８】
前記アンテナ収納部は、
前記アンテナ素子を２以上保持、収納し、前記アンテナ素子を個別に前記携帯端末筐体の背面に対して斜め上方にスライド自在に伸張する構造を有する
ことを特徴とする請求項６または７記載の携帯端末装置。
【請求項９】
前記アンテナ収納部は、
前記アンテナ素子を２以上保持、収納し、前記アンテナ素子が連結して、前記携帯端末筐体の背面に対し斜め上方にスライド自在に伸張する構造を有する
ことを特徴とする請求項６または７記載の携帯端末装置。
【請求項１０】
前記アンテナ収納部に保持、収納される２以上のアンテナ素子のアンテナ長に差をつけた構造を有する
ことを特徴とする請求項８または９に記載の携帯端末装置。
【発明の詳細な説明】
【技術分野】
【０００１】
本発明は、アンテナ特性を改善した、携帯端末用アンテナ装置および携帯端末装置に関する。
【背景技術】
【０００２】
携帯端末において使用されるアンテナには、小型、軽量、高性能タイプが求められる。例えば、市場に出回っている携帯端末、例えば、携帯電話では、送受信共用のホイップアンテナと、受信専用の内蔵アンテナとの２種類を備えたダイバーシティ方式を採用したものが多くなっている。
【０００３】
この場合、ホイップアンテナとして、モノポールアンテナ、内蔵アンテナとして逆Ｆ型アンテナ等が広く用いられている。それぞれ、小型、軽量化をはかると同時に、高性能化や広帯域化をはかった技術が採用されている。
【０００４】
小型、軽量化をはかると同時に、高性能化や広帯域化をはかるために、従来、断面コ字状のスライドアンテナを用いた携帯無線機が知られている（例えば、特許文献１参照）。
【０００５】
上記した特許文献１には、携帯無線機のトップに、断面形状がほぼコ字状のアンテナを配置し、携帯無線機の長手方向に対して平行に伸張、あるいは収納するアンテナ構造が開示されている。
【特許文献１】特開２００４−２５３９２７号公報
【発明の開示】
【発明が解決しようとする課題】
【０００６】
上記した特許文献１に開示された技術によれば、スライドアンテナを垂直に伸張することにより電波特性を改善し、一層の小型化をはかっている。
【０００７】
しかしながら、アンテナ設計において、人体との結合に敏感な設計、もしくは人体との結合に敏感なアンテナ素子そのものを装備した場合、アンテナを垂直にスライドさせても、使用者が通話等のために携帯端末を耳元に置いた場合等、人体（頭部）と、携帯端末との間の距離により人体と携帯端末との間に結合が起こり、アンテナ特性として劣化する可能性があり、思った以上にアンテナ特性（放射特性）が改善されないことが多かった。
【０００８】
本発明の目的は、アンテナ伸長時、アンテナ素子を人体から遠ざけ、アンテナ特性の改善をはかった、携帯端末用アンテナ装置および携帯端末装置を提供することにある。
【課題を解決するための手段】
【０００９】
本発明の第１の観点の携帯端末用アンテナ装置は、携帯端末筐体の外形に沿って下向きに断面コの字状に形成された板状のアンテナ素子と、前記アンテナ素子が保持、収納され、前記アンテナ素子を、前記携帯端末筐体の背面に対して斜め上方にスライド自在に伸張するアンテナ収納部と、を備えている。
【００１０】
本発明の第２の観点の携帯端末装置は、携帯端末筐体と、前記携帯端末筐体の外形に沿って下向きに断面コの字状に形成された板状のアンテナ素子と、前記アンテナ素子が保持、収納され、前記アンテナ素子を、前記携帯端末筐体の背面に対して斜め上方にスライド自在に伸張するアンテナ収納部と、を備えている。
【００１１】
好適には、前記携帯端末筐体は、少なくとも表示モニタが実装される第１の筐体と、少なくともキースイッチが実装される第２の筐体と、前記第１の筐体と前記第２の筐体とを開閉自在に結合するヒンジ機構と、を備え、前記アンテナ収納部は、前記ヒンジ機構の下部に配置されている。
【００１２】
好適には、前記アンテナ収納部は、前記アンテナ素子を２以上保持、収納し、前記アンテナ素子を個別に前記携帯端末筐体の背面に対して斜め上方にスライド自在に伸張する構造を有する。
【００１３】
好適には、前記アンテナ収納部は、前記アンテナ素子を２以上保持、収納し、前記アンテナ素子が連結して、前記携帯端末筐体の背面に対し斜め上方にスライド自在に伸張する構造を有する。
【００１４】
好適には、前記アンテナ収納部に保持、収納される２以上のアンテナ素子のアンテナ長に差をつけた構造を有する。
【発明の効果】
【００１５】
本発明によれば、断面コの字状に形成されたアンテナ素子を筐体の背面部に対して斜め上方へ伸長できる構成とすることで、アンテナ伸長時、アンテナ素子が人体から遠ざかるためアンテナ特性の改善を図ることができる。
【発明を実施するための最良の形態】
【００１６】
図１は、本発明の実施の形態にかかわる携帯端末用アンテナ装置の構成図である。ここでは、折り畳み式の携帯電話端末が例示されている。
図１（ａ）は、アンテナ収納時の断面図、図１（ｂ）は、アンテナ伸張時の断面図、図１（ｃ）はアンテナ収納時の斜視図、図１（ｄ）はアンテナ伸張時の斜視図を示す。
また、図２（ａ），（ｂ）は、携帯端末用アンテナ装置の携帯端末筐体に対する収納状態を模式的に示す図である。
【００１７】
ここに示される折り畳み式携帯端末は、ＬＣＤ（Liquid Crystal Display Device）１１等の表示モニタが実装される第１の筐体としてのアッパー筐体１と、キースイッチ２１等が実装される第２の筐体としてのロアー筐体２とが、ヒンジ機構３により、開閉自在に結合されている。
【００１８】
図２に示すように、ヒンジ機構３の下部に相当するロアー筐体２の背面上部には、アンテナ収納凹部２ａが形成され、アンテナ収納凹部２ａに対してアンテナ収納部２０が矢印方向にスライド自在に収納されている。
すなわち、アンテナ収納部２０を手動でロアー筐体２内部から斜め上方にスライドさせ、引き出すことでアンテナ収納部２０がロアー筐体２外部に出、このことにより、アンテナ収納部２０周辺にアンテナの空間領域を確保し、電波特性を改善するものである。
【００１９】
図２に、アンテナ収納部２０の内部構成が示されている。アンテナ収納部２０は、アンテナ収納部本体２０１が、ロアー筐体２の収納部に設けられたスライド用溝（不図示）に沿ってスライドすることとする。
【００２０】
あるいは、図３に示すように、アンテナ収納部２０の側部に切り欠き２１，２２を設け、アンテナ収納凹部２ａに蛇腹状の板ばね２ｂ、２ｃを設けて、切り欠き部２１，２２が板ばねの凸部に係止するようにしたスライド機構を採用することも可能である。
【００２１】
このスライド機構については、上記した特許文献１にも詳細に開示されているが、種々の形態のスライド機構を採用することが可能である。
【００２２】
また、本実施形態においては、図４に示すように、断面コ字状の板状のアンテナ素子（導体）２０２がアンテナ収納部本体２０１に保持され、このアンテナ素子２０２の中央部近傍と、図示せぬ高周波回路が実装された回路基板との間で給電が行なわれるダイポールアンテナが形成されている。給電部は同軸ケーブル２０３により回路基板２０１に接続される。
【００２３】
なお、アンテナ素子２０２は、使用周波数に合わせた必要波長分の長さで設計されるものとする（λ／２）。
たとえばアンテナ素子２０２は、図４に示すように、断面コ字状の板状のアンテナ素子（導体）の一側部の長さ（高さ）をｘ、底辺部の長さをｙ、他側部の長さ（高さ）をｚとすると、ｘ＋ｙ＋ｚ＝λ／２となる電気的長さを形成するように構成される。
【００２４】
また、図５（ａ），（ｂ）は板金で形成されたアンテナを模式的に示す図であり、同図（ｂ）断面の状態を示している。
このように、板金によりアンテナを形成し、図５（ａ）に示すように、その幅Ｗにより広帯域化を図ることができる。
【００２５】
なお、上記した本発明の実施の形態によれば、アンテナ収納部２０に収納されるアンテナ素子２０２を１つとして説明したが、アンテナ長を変えることにより互いに異なる周波数帯で動作、あるいは、ほぼ同じ周波数帯で動作する２種類以上のアンテナ素子２０２をアンテナ収納部２０に収納してもよい。
【００２６】
上記のように互いに異なる周波数帯で動作させる場合は２周波アンテナとして動作させることかでき、また、同じ周波数帯で動作させる場合はダイバーシティアンテナとして動作させることができる。
【００２７】
また、このとき、複数のアンテナ素子の伸張を個別に行い相関を小さくすることができる。
さらに、複数のアンテナ素子を同時に伸張させるように連動して行なう等の制御も考えられる。
【００２８】
上記した本発明の実施の形態によれば、アンテナ収納部２０を、携帯端末筐体（ここではロアー筐体２）背面に対して斜め上方にスライドさせる構造を採用することによって、垂直にスライドさせる場合と比較して、頭部等人体とアンテナ素子２０２との距離を離すことができ、放射空間を広く確保することができるため人体との影響を防げる効果が得られる。
【００２９】
なお、上記した本発明の実施の形態によれば、折り畳み式の携帯端末についてのみ例示したが、シェル型、スライド型にも同様に応用が可能であり、この場合、アンテナ素子が携帯端末本体の金属部分から離れるため、一層放射特性の改善がはかれる。
【００３０】
また、ストレート型（バー型）携帯端末においても同様に応用が可能であり、折り畳み式携帯端末同様、アンテナ伸長時アンテナ素子が人体から遠ざかるためアンテナ特性が改善される。
特に、ストレート型ではアンテナ素子を斜めにスライドすることによって、従来、筐体内部にあった内蔵アンテナを外部に引き立し、人体からの結合を防げ、且つ、筐体外部に飛び出すことによってアンテナ周囲に空間を作り、より良い電波特性を促す作用がある。
【００３１】
また、構造的に、垂直にスライドさせることが困難な形状を持つ筐体については、外部にアンテナを引き出す方法として、斜め方向にスライドさせる方法が構造的に有利である。
【図面の簡単な説明】
【００３２】
【図１】本発明の実施の形態にかかわる携帯端末用アンテナ装置の構成図である。
【図２】携帯端末用アンテナ装置の携帯端末筐体に対する収納状態を模式的に示す図である。
【図３】本実施形態のアンテナ装置の出し入れするためのスライド機構に一例を説明するための図である。
【図４】図１におけるアンテナ収納部の内部構成を示す図である。
【図５】板金で形成されたアンテナを模式的に示す図である。
【符号の説明】
【００３３】
１…アッパー筐体、２…ロアー筐体、３…ヒンジ機構、１１…ＬＣＤモニタ、２０…アンテナ収納部、２０１…アンテナ収納部本体、２０２…アンテナ素子、２０３…同軸ケーブル。
【図１】
2008011270.tif 000003
【図２】
2008011270.tif 000004
【図３】
2008011270.tif 000005
【図４】
2008011270.tif 000006
【図５】
2008011270.tif 000007